(57)【要約】      （修正有）【課題】座面に座った状態で肛門或いはそけい部などの局部部位に直接シャワーの水流を当てて洗浄を行うことが出来、また、洗浄を行う際、水が飛び跳ねる状況を低減することができる洗浄用椅子の構造を提供する。【解決手段】洗浄用椅本体５に座面５１を設け、椅子本体の一側面にシャワー導入用の洗浄凹部５２を設け、洗浄凹部に上下に第一開口５２２と第二開口５２３を設け、第一開口は座面に開口し、第二開口は椅子本体の底部に開口する。【選択図】図４
0003206444.tif 000002
【実用新案登録請求の範囲】
【請求項１】
椅子本体を含み
該椅子本体に座面を設け、該椅子本体の一側面に洗浄凹部を設け、該洗浄凹部壁面で該椅子本体及び該座面は互いに接続し、該洗浄凹部は上下に第一開口と第二開口を形成し、該第一開口は該座面に開口し、該第二開口は椅子本体の底部に開口することを特徴とする洗浄用椅子の構造。
【請求項２】
前記該座面は円形或いは楕円形であることを特徴とする請求項１記載の洗浄用椅子の構造。
【請求項３】
前記座面の相対する側面に補強梁構造を延伸して設け、該補強構造に複数の垂直に交差する補強片を設け、該椅子本体の底部に複数の収納溝を設け、各収納溝内に滑り防止部品を嵌合して固設し、該椅子本体の周面に複数の補強欠け口を設けて、各補強欠け口の周縁に補強凸縁を形成すると共に該補強凸縁を該椅子本体に対して傾斜角度を設けたことを特徴とする請求項１記載の洗浄用椅子の構造。
【考案の詳細な説明】
【技術分野】
【０００１】
本考案は一種の椅子の構造に関し、特に幼児、行動が不便なけが人、ひざ関節病を患う患者、身体障害者或いは高齢者などが肛門などの部位、或いはそけい部など、局部部位を洗うために使用できる洗浄用椅子の構造に関する。
【背景技術】
【０００２】
一般的に浴室で体を洗う際、或いは特殊な身体の部位の怪我、ひざ関節病を患う患者、身体障害者及び高齢者介護サービスでは、大事な部位、例えば肛門などの部位或いはそけい部など局部部位を洗浄し、人体の健康衛生を維持する。特に、児童が浴室の中で遊んで飛んだり走ったりすると滑りやすく、ひざを怪我した行動が不便な方或いは高齢者など、幼児或いは行動が不便な方がトイレで用をすました後、洗浄をする際には、不便を感じることが多い。よって、肛門などの部位を洗浄する例として、図１に示すように、幼児、行動不便な方、例えば高齢者或いはひざを怪我した人、ひざ関節病を患う患者、身体障害者などの被洗浄者或いはユーザー１はしゃがんで、更に介護スタッフ３或いはユーザーが自分で噴水器２を手に持って肛門などの部位を洗浄する。肛門などの部位を洗浄する場合、被洗浄者或いはユーザー１がしゃがんで洗浄する際、頻繁に血管を圧迫することが多く、健康に間接的な影響を与える。特に浴室など濡れた床にしゃがむと、しゃがんで洗浄する際に転びやすく、大変不安定で危険である。
【０００３】
更に、図２に示すように、被洗浄者或いはユーザー１は立って介護スタッフ３或いはユーザーが自分で同様に手に噴水器２を持って、肛門などの部位を洗浄することができるが、頻繁に水が飛び跳ね、及び排泄物の拡散汚染を招くことが多く、後続の環境の洗浄が大変不便であり、環境の衛生が汚染されやすい。
【０００４】
図３に示すように、もちろん椅子４を使って、被洗浄者或いはユーザーがそこに座って洗浄することができる。被洗浄者或いはユーザーが洗浄する際の安全性を高めることになるが、洗浄するのに大変不便である。加えて椅子４の滑り止め効果が悪いため、洗浄する際に、肛門などの部位或いはそけい部などの局部の部位を直接洗浄することができない。加えて浴室の床が濡れて滑りやすく、介護スタッフ或いはユーザーが自分で洗浄するのに不便であることなどを鑑みて、更なる改善が必要であった。
【先行技術文献】
【特許文献】
【０００５】
【特許文献１】特開２００８−２５８５６号公報
【考案の概要】
【考案が解決しようとする課題】
【０００６】
前記公知構造の欠点を解決するため、本考案は幼児、行動不便のけが人、ひざ関節病を患う患者、身体障害者或いは高齢者などに肛門などの部位、或いはそけい部などの局部の部位を洗浄する際に使用できる洗浄用椅子の構造を提供することを主な課題とする。
【課題を解決するための手段】
【０００７】
前記課題を解決するために、本考案は一種の洗浄用椅子の構造を提供するものである。それに含まれるのは椅子本体であり、それは座面を具有する。該椅子本体の周囲の片側に一つの洗浄凹部を設ける。該洗浄凹部は壁面を具有し、該壁面と該椅子本体及び該座面は互いに接続する。該洗浄凹部に第一開口と第二穴を設け、該第一開口と該座面は互いに貫通する。該第二穴と該椅子本体の底部は互いに貫通する。
【０００８】
該座面は円形或いは楕円形であり、該座面の相対する側面から補強梁構造を延伸して設ける。該補強構造に複数の垂直に交差する補強片を設ける。該椅子本体の底部に複数の収納溝を設け、該各一つの収納溝内に滑り防止部品を固設する。該椅子本体の周囲に複数の補強欠け口を設け、該各補強欠け口の周縁にそれぞれ補強凸縁を設け、該補強凸縁と該椅子本体の間に傾斜角度を具有する。
【０００９】
よって本考案では、被洗浄者或いはユーザーが幼児、行動不便のけが人、ひざ関節病を患う患者、身体障害者或いは高齢者など、浴室内で椅子本体の座面に座る際、血管が圧迫される、或いは転倒する状況がなくなるだけでなく、座る際には滑るのを防止することができる。また洗浄凹部の設置により、肛門などの部位或いはそけい部などの局部部位の洗浄を行う際、水が飛び跳ねる状況を減少することができると同時に、肛門などの部位或いはそけい部などの局部の部位を直接洗浄することができる。介護スタッフ或いはユーザー自身を清潔に保つために有利であり、本考案は肛門などの部位或いはそけい部などの局部部位を洗浄する便利性の効果を上げることができる。
【考案の効果】
【００１０】
本考案の構造により被洗浄者或いはユーザーが浴室内で椅子本体の座面に座る際、血管が圧迫される、或いは転倒する状況がなくなるだけでなく、座る際には滑り防止することができる。また洗浄凹部の設置により、肛門などの部位或いはそけい部などの局部部位の洗浄を行う際、水が飛び跳ねる状況を減少することができると同時に、肛門などの部位或いはそけい部などの局部の部位を直接洗浄することができる。介護スタッフ或いはユーザー自身を清潔に保つために有利であり、本考案は肛門などの部位或いはそけい部などの局部部位を洗浄する便利性の効果を上げることができる。
【図面の簡単な説明】
【００１１】
【図１】従来のしゃがんで肛門などの部位或いはそけい部などの局部部位を洗浄する略図である。
【図２】従来の立って肛門などの部位或いはそけい部などの局部部位を洗浄する略図である。
【図３】従来の椅子の略図である。
【図４】本考案の最良実施例の洗浄用椅子の立体透視構造略図である。
【図５】本考案の最良実施例の図４の別の角度から見た立体透視構造略図である。
【図６】本考案の最良実施例の被洗浄者或いはユーザーが椅子の本体の座面に座った略図である。
【図７】本考案の最良実施例の被洗浄者或いはユーザーが椅子本体の別の反対方向の座面に座った略図である。
【図８】本考案の最良実施例の肛門などの部位を洗浄する略図である。
【図９】本考案の最良実施例の椅子本体に座った際の、該収納溝と滑り防止部品の断面略図である。
【図１０】本考案の最良実施例の椅子本体の座面が円形或いは楕円形の構造略図である。
【考案を実施するための形態】
【００１２】
以下、本考案の構造と特徴および効果を、最良実施例と図面を参照しながら詳細に説明する。
【実施例】
【００１３】
図４及び図５に示すように、本考案は一種の洗浄用椅子を提供する。それに含まれるのは椅子本体５である。
【００１４】
該椅子本体５に座面５１を具有し、該椅子本体５の周囲の片側に洗浄凹部５２を設ける。該洗浄凹部５２に第一開口５２２と第二穴５２３を設け、該第一開口５２２と該座面５１は互いに貫通する。該第二穴５２３と該椅子本体５の底部(該座面５１と相対する)は互いに貫通する。該洗浄凹部５２の設置により、該洗浄凹部５２は壁面５２１を具有し、該壁面５２１と該椅子本体５及び該座面５１は互いに接続し、該壁面５２１はアーチ型にしているが、それによって制限されない。本実施例において、該座面５１の相対する側面から補強梁構造５３を延伸して設ける。該補強梁構造５３は基本的に該椅子本体５から延伸する。該補強構造５３に複数の垂直に交差する補強片５３１を設ける。該椅子本体５の底部に四つの収納溝５６を設け、該四つの収納溝５６は平均して該椅子本体５の周囲底部に位置し、該各一つの収納溝５６の中に滑り防止部品５４を固設し、該各滑り防止部品５４はゴム補強片とすることが、それによって制限されない。該滑り防止部品５４は嵌める、窪ませる、粘着するなどの固設方法を使って、各収納溝５６の中に嵌合して固設する。且つ該四つの収納溝５６は平均して該椅子本体５の周囲底部に、各滑り防止部品５４を設置することで、各滑り防止部品５４が滑って脱するのを避けることができ、それにより最大の滑り防止効果を提供する。該椅子本体５の周囲に四つの補強欠け口５５を設け(それにより該椅子本体５は四つの支持部５７を形成する)、各補強欠け口５５の周縁に補強凸縁５５１を設ける。該補強凸縁５５１と該椅子本体５の間に所定の角度を具有し、該椅子本体５の該座面５１の上に座ると、人体が該椅子本体５に負荷する加重を、該四つの支持部５７に分散することができ、力学的原理に基づき、該椅子本体５の耐用寿命を延長することができ、破裂損壊を避ける。
【００１５】
図６に示すように、肛門などの部位を洗浄する例として、通常浴室の環境内において、本考案は幼児(児童)、青年或いは高齢者、青年は例えば行動が不便のけが人(例えばひざの怪我)、ひざ関節病を患う患者或いは身体障害者などの被洗浄者或いはユーザー６に適用するが、これは例としてあげて説明するが、これによって制限されない。洗浄を行う際、該被洗浄者或いはユーザー６は、該椅子本体５の該座面５１の上に座り、且つ該被洗浄者或いはユーザー６の肛門などの部位を該洗浄凹部５２の部分に位置させるようにして洗浄を行う。図７に示すように、介護スタッフ７或いはユーザー自身が手に噴水器８を持ち、該洗浄凹部５２のところで、肛門などの部位の洗浄を行う。該被洗浄者或いはユーザー６は血管が圧迫される、或いは転倒する状況にならず、且つ該洗浄凹部５２の設置を介し、肛門などの部位或いはそけい部などの局部部位を洗浄することができる。図６Ａに示すように、該壁面５２１の隔たりを介し、水が飛び跳ねる状況を減少することができ、同時に肛門などの部位あるいはそけい部などの局部の部位に直接洗浄できる効果を得る。介護スタッフ７或いはユーザー自身を清潔に保つために好適であり、本考案は肛門などの部位或いはそけい部などの局部部位を洗浄する便利性の効果を上げることができ、且つ男性、女性問わず使用することができる。
【００１６】
更に図７Ａに示すように、肛門などの部位或いはそけい部などの局部部位を洗浄する過程において、浴室内の床は大変濡れて滑りやすく、人体が該椅子本体５の上に座る際、該椅子本体５は滑って移動することがある。該収納溝５６及び該滑り防止部品５４の設置により、該滑り防止部品５４は浴室内で床と相反する摩擦力で滑り防止効果が生まれ、同時に該滑り防止部品５４は該収納溝５６内に固定することができ、簡単に滑って離脱して損壊することがなく、ベストな滑り防止効果が生まれる。
【００１７】
図８に示すように、該座面５１は円形或いは楕円形であり、該洗浄凹部５２は上下に連通する該第一開口５２２と該第二穴５２３を設ける。該第一開口５２２は該座面５１に開口し、該第二穴５２３は椅子本体５の底部に開口する。且つ同様に該壁面５２１を具有し、該壁面５２１はアーチ形とするが、それによって制限されない。
【００１８】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる
【符号の説明】
【００１９】
〔従来技術〕
１  被洗浄者或いはユーザー
２  噴水器
３  介護スタッフ
４  椅子
〔本考案〕
５  椅子本体   
５１  座面
５２  洗浄凹部
５２１  壁面
５２２  第一開口
５２３  第二穴
５３  補強構造
５３１  補強片
５４  滑り防止部品
５５  補強欠け口
５５１  補強凸縁
５６  収納溝
５７  支持部
６  被洗浄者或いはユーザー
７  介護スタッフ
８  噴水器
【図１】
0003206444.tif 000003
【図２】
0003206444.tif 000004
【図３】
0003206444.tif 000005
【図４】
0003206444.tif 000006
【図５】
0003206444.tif 000007
【図６】
0003206444.tif 000008
【図７】
0003206444.tif 000009
【図８】
0003206444.tif 000010
【図９】
0003206444.tif 000011
【図１０】
0003206444.tif 000012